(57)【要約】 【課題】  物理的なガイド機構を必要とすることなく、容易に情報記憶媒体を予め定める通信可能な位置に誘導することができる通信装置を提供する。【解決手段】  表示装置３４は、操作部２４の表面部２５に設けられる表示領域２６に画像情報を表示する。ハンディターミナル２１は、操作部２４の裏面部２７側から近接するＩＣカード２２と通信可能である。メディアガイド位置記憶部４３は、ＩＣカード２２と無線通信するときに、ＩＣカード２２を配置すべき位置を表す配置位置情報としてガイドマーク２８を記憶する。表示装置３４は、このガイドマーク２８を表示領域２６に表示する。【選択図】      図１
2008165650.tif 000002
【特許請求の範囲】
【請求項１】
一表面部に設けられる表示領域に画像情報を表示する画像表示手段と、
前記一表面部とは反対側の他方面部から近接する無線通信可能な情報記憶媒体と無線通信可能な通信手段と、
情報記憶媒体と通信手段とが無線通信するときに、情報記憶媒体を配置すべき位置を表す配置位置情報を記憶する記憶手段と、
前記配置位置情報を表示領域に表示させるように画像表示手段を制御する制御手段とを含むことを特徴とする通信装置。
【請求項２】
前記記憶手段は、情報記憶媒体の種類に応じた複数の配置位置情報を記憶し、
前記制御手段は、記憶手段に記憶された複数の配置位置情報のうちの選択された配置位置情報を表示領域に表示させるように画像表示手段を制御することを特徴とする請求項１記載の通信装置。
【請求項３】
記憶手段に記憶された複数の配置位置情報のうちから１つの配置位置情報を選択する選択手段をさらに含むことを特徴とする請求項２記載の通信装置。
【請求項４】
前記制御手段は、情報記憶媒体と通信手段とが無線通信すると、配置位置情報とは異なる情報を表示領域に表示させることを特徴とする請求項１〜３のいずれか１つに記載の通信装置。
【発明の詳細な説明】
【技術分野】
【０００１】
本発明は、情報記憶媒体と通信可能な通信装置に関する。
【背景技術】
【０００２】
相互に無線通信可能な非接触のＩＣカードとＩＣカードリーダ／ライタとがある（たとえば特許文献１〜３参照）。ＩＣカードおよびＩＣカードリーダ／ライタは、それぞれアンテナを有し、このアンテナを介して無線通信を行う。非接触のＩＣカードの通信可能な範囲は、ＩＣカードリーダ／ライタのアンテナ近傍に制限される。したがって、ＩＣカードとＩＣカードリーダ／ライタとの通信を行うためには、ＩＣカードをＩＣカードリーダ／ライタの通信可能な範囲内に移動する必要がある。利用者がＩＣカードを通信可能な範囲に容易に移動させることができるように、従来の技術のＩＣカードリーダ／ライタには種々の工夫が施されている。
【０００３】
図９は、ＩＣカードリーダ／ライタを示す斜視図である。図９（１）は、開放型のＩＣカードリーダ／ライタ１を示す斜視図である。このＩＣカードリーダ／ライタ１は、ＩＣカードリーダ／ライタの一表面２の予め定める位置にＩＣカードが近接したときに、ＩＣカードと通信可能な状態となる。ＩＣカードリーダ／ライタ１の一表面２には、ＩＣカードを通信可能な位置に誘導するためのガイド表示が設けられている。具体的には、ＩＣカードを一表面２に当接させたときに、最も良好に通信可能となるＩＣカードの外形３およびＩＣカードの中心を合わせるべき中心マーク４がガイド表示として描画されている。利用者は、ガイド表示にＩＣカードを合わせるようにＩＣカードリーダ／ライタに近接させることによって、ＩＣカードを通信可能な位置に移動してＩＣカードリーダ／ライタとの通信を可能にすることができる。
【０００４】
図９（２）は、カードホルダ５を備える開放型のＩＣカードリーダ／ライタ６を示す斜視図である。このＩＣカードリーダ／ライタ６は、図９（２）に示すＩＣカードリーダ／ライタ１にカードホルダ５を設けたものである。カードホルダ５は、ＩＣカードリーダ／ライタ６の一表面７上に設けられる。このカードホルダ５は、ＩＣカードが嵌り込んだときに、ＩＣカードとの通信が最も良好となるような位置にＩＣカードをガイドするガイド機構として機能する。利用者がカードホルダ５にＩＣカードを挿入するだけで、ＩＣカードを通信可能な位置に移動させることができる。
【０００５】
図９（３）は、スロットイン型のＩＣカードリーダ／ライタ８を示す斜視図である。このスロットイン型のＩＣカードリーダ／ライタ８には、ＩＣカード１０を挿入可能なスロット９が形成されている。このスロット９にＩＣカード１０を挿入することによって、ＩＣカード１０がＩＣカードリーダ／ライタ８と通信可能な領域にガイドされる。これによってＩＣカード１０とＩＣカードリーダ／ライタ８とが通信可能になる。
【０００６】
【特許文献１】特開平１１−３４０６号公報
【特許文献２】特開平１１−１５４２０４号公報
【特許文献３】特開２００５−１３５３５１号公報
【発明の開示】
【発明が解決しようとする課題】
【０００７】
たとえばＩＣカードリーダ／ライタ機能を備えるＰＤＡ（Personal Digital
Assistants）がある。このＰＤＡは、一表面部に表示領域を有し、他表面部側から近接するＩＣカードと通信可能に構成される。利用者は、通常の使用状態において表示領域の設けられる一表面を顔に向けた状態でＰＤＡを使用する。図９（１）に示すＩＣカードリーダ／ライタ１のように他表面にガイド表示が描画されていると、ＩＣカードとの通信を行うときには他表面を利用者の顔に向けた状態でＩＣカードをＰＤＡに近接させる必要がある。このように、ＩＣカードとの通信を行おうとする毎に通常の使用状態からＰＤＡを反転させる必要があり、利用者の利便性が悪くなる。
【０００８】
また図９（２），（３）に示すＩＣカードリーダ／ライタ６，８には、ＩＣカードをガイドする物理的な機構を必要とするので、ＩＣカードリーダ／ライタ６，８の部品点数が増加し、構成が複雑になるという問題が生じる。
【０００９】
したがって本発明の目的は、物理的なガイド機構を必要とすることなく、容易に情報記憶媒体を予め定める通信可能な位置に誘導することができる通信装置を提供することである。
【課題を解決するための手段】
【００１０】
本発明は、一表面部に設けられる表示領域に画像情報を表示する画像表示手段と、
前記一表面部とは反対側の他方面部から近接する無線通信可能な情報記憶媒体と無線通信可能な通信手段と、
情報記憶媒体と通信手段とが無線通信するときに、情報記憶媒体を配置すべき位置を表す配置位置情報を記憶する記憶手段と、
前記配置位置情報を表示領域に表示させるように画像表示手段を制御する制御手段とを含むことを特徴とする通信装置である。
【００１１】
また本発明は、前記記憶手段は、情報記憶媒体の種類に応じた複数の配置位置情報を記憶し、
前記制御手段は、記憶手段に記憶された複数の配置位置情報のうちの選択された配置位置情報を表示領域に表示させるように画像表示手段を制御することを特徴とする。
【００１２】
さらに本発明は、記憶手段に記憶された複数の配置位置情報のうちから１つの配置位置情報を選択する選択手段をさらに含むことを特徴とする。
【００１３】
さらに本発明は、前記制御手段は、情報記憶媒体と通信手段とが無線通信すると、配置位置情報とは異なる情報を表示領域に表示させることを特徴とする。
【発明の効果】
【００１４】
本発明によれば、通信装置の一表面部には、画像表示手段によって画像情報が表示される表示領域が設けられる。通信手段は、この表示領域が設けられる一表面部とは反対側の他方面部から近接、すなわち一表面部とは反対側の他表面部に、他表面部の一表面部側とは反対側から近接する無線通信可能な情報記憶媒体と無線通信可能である。この表示領域には、情報記憶媒体と通信手段とが無線通信するときに、情報記憶媒体を配置すべき位置を表す配置位置情報が表示される。通信装置の一表面部に配置位置情報が表示されるので、利用者は、この配置位置情報を見ながら情報記憶媒体を通信可能な領域に移動させることができる。このように配置位置情報を確認することによって、通信装置の一表面部を利用者の顔に向けた状態でも、容易に情報記憶媒体を通信可能な位置に移動させることができる。したがって情報記憶媒体と通信装置との通信を実行する毎に通信装置の他表面部を利用者の顔に向けるように通信装置を反転する必要がなくなり、利用者の利便性が向上する。また従来の技術のように、情報記憶媒体を通信可能な位置に誘導するための物理的なガイド機構を設けなくとも、利用者が容易に情報記憶媒体を通信可能な位置に移動させることができるので、従来の技術に比べて簡易な構成の通信装置を実現することができる。
【００１５】
また本発明によれば、記憶手段は、情報記憶媒体の種類に応じた複数の配置位置情報を記憶しており、表示領域には、複数の配置位置情報のうちの選択された１つの配置位置情報が表示される。情報記憶媒体と通信装置との通信可能な範囲は、情報記憶媒体の種類に応じて異なる場合がある。表示領域には、選択された配置位置情報が表示されるので、情報記憶媒体の種類ごとに通信装置の物理的な構成を設計変更する必要がなくなり、通信装置の汎用性が増す。
【００１６】
さらに本発明によれば、選択手段によって複数の配置位置情報から１つの配置位置情報を選択することができる。利用者が選択手段を操作することによって、通信装置との通信を実行しようとする情報記憶媒体に応じて、表示領域に表示させる配置位置情報を選択することができる。配置位置情報を選択することによって情報記憶媒体の種類に対応する配置位置情報を表示領域に表示させることができるので、利用者は、この配置位置情報に基づいて情報記憶媒体を通信可能な位置に移動させることができる。このように表示領域に表示させる配置位置情報を選択することができるので、情報記憶媒体の種類を変えたとしても情報記憶媒体を通信可能な位置に容易に移動させることができ、利用者の利便性が向上する。
【００１７】
さらに本発明によれば、情報記憶媒体と通信手段とが無線通信すると、配置位置情報とは異なる情報が表示領域に表示される。配置位置情報は、情報記憶媒体を誘導するために表示される情報なので、情報記憶媒体が通信可能な位置まで移動した後において配置位置情報を表示領域に表示する必要がない。情報記憶媒体が通信可能な位置まで移動した後に、配置位置情報とは異なる画像情報を表示させるので、表示領域の有効利用を図ることができる。
【発明を実施するための最良の形態】
【００１８】
図１は、本発明の実施の一形態の通信装置として機能するハンディターミナル２１および情報記憶媒体として機能するＩＣ（Integrated Circuit）カード２２を模式的に示す正面図である。図２は、ハンディターミナル２１を模式的に示す背面図である。本実施の形態においてハンディターミナル２１は、携帯可能な重さおよび形状であって、たとえばＰＤＡ（Personal Digital Assistants）として機能する。
【００１９】
ハンディターミナル２１は、通信手段を備え、無線通信可能な情報記憶媒体と無線通信可能である。本実施の形態においてハンディターミナル２１は、通信手段として機能するＩＣカードリーダ／ライタを備え、情報記憶媒体として機能する非接触型のＩＣカード２２と無線通信可能である。
【００２０】
ハンディターミナル２１は、板状であって、把持部２３と、この把持部２３の一端部に連結されて一体に形成される操作部２４とによって構成される。把持部２３は、利用者が把持可能な形状を有する。操作部２４の厚み方向の一表面部（以下、表面部という）２５には、画像情報が表示される表示領域２６が設けられる。また表面部２５にはタッチパネルが設けられ、利用者は、表示領域２６に表示された画像情報に基づいて表面部２５を操作する。ハンディターミナル２１は、操作部２４の厚み方向の他方面部に相当する他表面部（以下、裏面部という）２６の表面部２５とは反対側から近接するＩＣカード２２と通信可能である。表示領域２６には、ＩＣカード２２とＩＣカードリーダ／ライタとが無線通信するときに、ＩＣカード２２を配置すべき位置を表す配置位置情報としてガイドマーク２８が一点鎖線で表示される。利用者は、このガイドマーク２８を見ながらＩＣカード２２を裏面部２７の通信可能な位置に移動させることができる。このように表面部２５を顔に向けた状態でＩＣカード２２を通信可能な位置に移動させることができるので、ＩＣカード２２との通信を行うときに、裏面部２７を顔に向けるようにハンディターミナル２１を反転させる手間を省くことができる。
【００２１】
図３は、ハンディターミナル２１およびＩＣカード２２の電気的構成を示すブロック図である。ハンディターミナル２１は、制御装置３１と、記憶装置３２と、表示制御装置３３と、表示装置３４と、入出力接続装置３５と、高周波接続装置３６とを含んで構成される。ハンディターミナル２１は、各装置を電気的に接続するバス３７をさらに含む。ハンディターミナル２１を構成する各装置は、それぞれ互いにバス３７を介して情報の授受を行う。
【００２２】
記憶装置３２は、制御プログラムを記憶する領域としてプログラム記憶部４１を含む。制御装置３１は、このプログラム記憶部４１に記憶された処理プログラムを読込んで実行することによって各装置を制御する。プログラム記憶部４１には、ＯＳ（Operating
System）およびアプリケーションプログラムが記憶され、これらを制御装置３１が読込んで実行することによって、ハンディターミナル２１がたとえばＰＤＡとして機能する。制御装置３１は、さらにレスポンスフラグ４２を記憶する。このレスポンスフラグ４２は、数値「０」および「１」のうちのいずれか一方の値をとる。制御装置３１は、ＩＣカード２２との通信に成功すると、レスポンスフラグ４２を数値「１」にセットし、ＩＣカード２２との通信に失敗すると、レスポンスフラグ４２を数値「０」にリセットする。さらにＩＣカード２２との通信を終了すると、レスポンスフラグ４２を数値「０」にリセットする。すなわちレスポンスフラグ４２が数値「１」のときに、ＩＣカード２２との通信可能な状態を表し、レスポンスフラグ４２が数値「０」のときに、ＩＣカード２２との通信不能な状態を表す。制御装置３１は、制御手段に相当し、中央処理装置（Central
Processing Unit：略称ＣＰＵ）を含んで実現される。
【００２３】
記憶装置３２は、プログラム記憶部４１と、メディアガイド位置記憶部４３と、メニュー画面記憶部４４と、数値（Ｎｏ）記憶部４５とを含む。プログラム記憶部４１には、前述したように制御装置３１が読込んで実行する制御プログラムが記憶される。メディアガイド位置記憶部４３は、情報記憶媒体の種類ごとに対応する複数の配置位置情報を記憶する。メニュー画面記憶部４４は、表示領域２６に表示させるメニュー画面を表す画像情報を記憶する。このメニュー画面記憶部４４に記憶されるメニュー画面が表示領域２６に表示される。Ｎｏ記憶部４５は、メディアガイド位置記憶部４３が記憶する複数の配置位置情報のうちの１つの配置位置情報を指定する数値を記憶する。制御装置３１は、このＮｏ記憶部４５に記憶する数値に基づいて、メディアガイド位置記憶部４３に記憶された複数の配置位置情報のうちの１つの配置位置情報を読込み、読込んだ配置位置情報を表示領域２６に表示させる。
【００２４】
表示制御装置３３は、制御装置３１から表示領域２６に表示させる画像情報が与えられる。表示制御装置３３は、与えられた画像情報を、表示領域２６に表示させるための電気信号に変換して表示装置３４に与える。表示装置３４は、表示制御装置３３から与えられる電気信号に応じて、表示領域２６に画像情報を表示する。表示装置３４は、液晶ディスプレイ（Liquid Crystal Display：略称ＬＣＤ）を含んで実現される。表示装置３４は、さらにタッチパネルを含み、入力装置としても機能する。利用者が表示領域２６の所定の位置を押圧することによって、この利用者の操作に応じた指令が表示装置３４を介して制御装置３１に入力される。制御装置３１は、表示装置３４から入力される指令に応じて各装置を制御する。
【００２５】
通信手段として機能するＩＣカードリーダ／ライタは、入出力接続装置３５と高周波接続装置３６とを含んで実現される。入出力接続装置３５は、制御装置３１から与えられる送信データを符号化して高周波接続装置３６に与えるとともに、高周波接続装置３６から与えられる受信データを復号化して制御装置３１に与える。
【００２６】
高周波接続装置３６は、アンテナコイル４６と、変調部と、復調部とを含んで構成される。入出力接続装置３５から与えられる符号化した送信データは、変調部によって変調されてアンテナコイル４６に与えられ、送信データとして送信される。またアンテナコイル４６によって受信した受信データは、復調部に与えられ、復調されて入出力接続装置３５に与えられる。アンテナコイル４６は、電流を流したときに裏面部２７の中央部において操作部２４の厚み方向の磁場が最も強くなるように配置される。たとえばアンテナコイル４６は、操作部２４の厚み方向に垂直な平面上において、操作部２４の中央部を中心に巻回されて形成される。
【００２７】
ＩＣカード２２は、薄板状の略四角柱形状を有し、カード用アンテナコイル４７と、ＩＣチップ４８とを含んで構成される。ＩＣカード２２は、カード用アンテナコイル４７を介して受信する受信データに基づいて、カード用アンテナコイル４７からハンディターミナル２１に対して送信データを送信する。ＩＣカード２２から送信される送信データは、ＩＣチップ４８の記憶装置に予め記憶されている。またＩＣカード２２は、カード用アンテナコイル４７を介して受信する受信データを記憶装置に記憶してもよい。カード用アンテナコイル４７とアンテナコイル４６とは変圧器を構成する。ＩＣカード２２の電力は、カード用アンテナコイル４７およびアンテナコイル４６を介してハンディターミナル２１から供給される。
【００２８】
図４は、ＩＣカード２２の種類に応じて表示領域２６に表示されるガイドマーク２８について説明するための図である。ＩＣカード２２は、アンテナコイル４６とカード用アンテナコイル４７との結合係数が最大となる位置に配置されたときに、最も良好にハンディターミナル２１と通信可能となる。結合係数が最大となる位置は、カード用アンテナコイル４７の形状および配置に応じて異なる。たとえば図４（１）に示すＩＣカード２２は、厚み方向の一方から見てカード用アンテナコイル４７が、ＩＣカード２２の中央部を中心に巻回されて形成されている。この場合には、ハンディターミナル２１の厚み方向の一方から見て、ＩＣカード２２の中心が操作部２４の中心に一致するようにＩＣカード２２を裏面部２７に当接するときに結合係数が最大となり、最も良好に通信することができる。図４（２）に示すＩＣカード２２は、厚み方向の一方から見てカード用アンテナコイル４７が、ＩＣカード２２の対角線上の一方の隅寄りの位置を中心に巻回されて形成されている。この場合には、ハンディターミナル２１の厚み方向の一方から見て、アンテナコイル４６が巻回されている中心が操作部２４の中心に一致するようにＩＣカード２２を裏面部２７に当接するときに結合係数が最大になる。すなわちハンディターミナル２１の厚み方向の一方から見て、ＩＣカード２２の中心が操作部２４の中心からずれて配置されたときに結合係数が最大となり、最も良好に通信することができる。図４（２）に示すＩＣカード２２では、ハンディターミナル２１の厚み方向の一方から見てＩＣカード２２の一部が見える位置に配置されたときに最も良好に通信することができる。
【００２９】
ＩＣカード２２の種類に応じて通信可能なＩＣカード２２の位置が異なる場合があるので、表示領域２６には、ＩＣカード２２の種類に応じたガイドマーク２８が表示される。ガイドマーク２８は、ハンディターミナル２１の厚み方向の一方から見て、ＩＣカード２２の各辺を合わせるべき直線またはＩＣカード２２の４隅を合わせるべき直線などによって表される。図４（２）に示すようにＩＣカード２２の４隅のうちの１隅を合わせるべきガイドマーク２８を表示領域２６に表示すれば、ハンディターミナル２１の厚み方向の一方から見てＩＣカード２２がはみ出るような場合であっても、ガイドマーク２８がＩＣカード２２の移動を誘導するガイドとして適切に機能する。ガイドマーク２８は、メディアガイド位置記憶部４３に記憶される複数のガイドマーク２８のうちから、Ｎｏ記憶部４５に記憶された数値に対応するガイドマーク２８が選択されて表示領域２６に表示される。
【００３０】
図５は、ＩＣカード２２の種類を選択するメディア選択処理を表すフローチャートである。表示領域２６に表示されるガイドマーク２８は、ＩＣカード２２の種類に応じて異なるので、ハンディターミナル２１と通信するＩＣカード２２に応じて設定される。利用者が表示領域２６に表示されるメニュー画面に基づいてタッチパネルを押圧して操作し、メディア選択処理を開始する指令が表示装置３４を介して制御装置３１に入力されると、メディア選択処理が開始してステップａ０からステップａ１に移行する。
【００３１】
ステップａ１において制御装置３１は、メディアガイド位置記憶部４３からメディアの種類を読込む。メディアガイド位置記憶部４３には、ＩＣカード２２の種類ごとにガイドマーク２８が記憶されており、ステップａ１では、メディアガイド位置記憶部４３にガイドマーク２８として記憶されている全てのＩＣカード２２の種類がメディアの種類として読込まれる。メディアの種類が読込まれると、制御装置３１は、読込んだメディアの種類を表す情報を表示領域２６に表示させ、ステップａ２に移行する。
【００３２】
利用者は、表示領域２６に表示されたメディアの種類から、現在無線通信させようとしているＩＣカード２２の種類を選択し、表示領域２６を押圧することによって入力する。表示装置３４は、記憶手段に記憶された複数の配置位置情報のうちから１つの配置位置情報を選択する選択手段として機能する。
【００３３】
ステップａ２において制御装置３１は、タッチパネルとして機能する表示装置３４を介してメディアの選択を表す指令が入力されたか否かを判断する。メディアの選択を表す指令が入力されなければ、この指令が入力されるまでステップａ２の処理を繰返す。メディアの選択を表す情報が入力されると、ステップａ３に移行する。ステップａ３において制御装置３１は、入力されたメディアの選択を表す指令に基づいて、Ｎｏ記憶部４５に記憶される数値（Ｎｏ．）を、選択されたメディアに対応する数値（Ｎｏ．）に設定して記憶させる。Ｎｏ記憶部４５に記憶される数値（Ｎｏ．）の設定が終了すると、ステップａ４に移行してメディア選択処理を終了する。
【００３４】
以上説明したようにＮｏ記憶部４５に記憶される数値（ＮＯ．）が設定されると、ＩＣカード２２との通信を行うときに、Ｎｏ記憶部４５に記憶された数値（ＮＯ．）に対応するガイドマーク２８が表示領域２６に表示される。
【００３５】
図６は、ハンディターミナル２１とＩＣカード２２とが通信を行うときのハンディターミナル２１の処理を表すフローチャートである。表示領域２６に表示されるメニュー画面にしたがって、ＩＣカード２２との通信を行うためのプログラムの起動を選択するようにタッチパネルとして機能する表示装置３４を利用者が押圧すると、通信処理が開始してステップｂ０からステップｂ１に移行する。
【００３６】
ステップｂ１において制御装置３１は、プログラム記憶部４１に記憶された複数のアプリケーションプログラムのうちから通信用のアプリケーションプログラムを読込んで実行し、ステップｂ２に移行する。ステップｂ２において制御装置３１は、Ｎｏ記憶部４５に記憶された数値を参照することによって選択されたメディアの種類を特定し、メディアガイド位置記憶部４３から選択したメディアに対応する配置位置情報としてガイドマーク２８を読込む。次にステップｂ３に移行し、制御装置３１は、入出力接続装置３５にＩＣカード２２との通信を確立するための検出用信号を与え、高周波接続装置３６を介して検出用信号を送信用データとして送信させる。次にステップｂ４に移行する。
【００３７】
ＩＣカード２２は、ハンディターミナル２１と通信可能な位置に配置されていると、検出信号を受信して、この検出信号に対する応答信号をレスポンスとしてハンディターミナル２１に送信する。
【００３８】
ステップｂ４において制御装置３１は、送信した検出用信号に対する応答信号を、ＩＣカード２２からのレスポンスとして受信したか否かを判断する。すなわち制御装置３１は、ＩＣカード２２からの応答信号を高周波接続装置３６を介して受信したか否かを判断する。レスポンスがない場合には、ＩＣカード２２が通信可能な位置に存在しないと推測され、ステップｂ５に移行する。
【００３９】
ステップｂ５において制御装置３１は、レスポンスフラグ４２をリセットする。具体的にはＩＣカード２２との通信が不能な状態であることを記憶するために、レスポンスフラグ４２の数値を「０」に設定する。次にステップｂ６に移行して、制御装置３１は、表示処理を行う。この表示処理は、後述するようにレスポンスフラグ４２の値に基づいて行われる。ステップｂ６では、表示領域２６にガイドマーク２８が表示される。
【００４０】
このようにＩＣカード２２からのレスポンスがなく、ＩＣカード２２が通信可能な位置に存在しないと推測されるときに表示領域２６にガイドマーク２８が表示されるので、このガイドマーク２８にしたがって利用者がＩＣカード２２を通信可能な位置に移動させることができる。表示領域２６にガイドマーク２８が表示されるとステップｂ３に移行して再び高周波接続装置３６から検出用信号が送信される。
【００４１】
ステップｂ４においてメディアからのレスポンスを受信したと制御装置３１が判断すると、ステップｂ７に移行する。ステップｂ７において制御装置３１は、レスポンスフラグ４２のセットを行う。具体的にはＩＣカード２２との通信が可能な状態であることを記憶するために、レスポンスフラグ４２の数値を「１」に設定する。次にステップｂ８に移行する。ステップｂ８において制御装置３１は、表示処理を行う。この表示処理は、後述するようにレスポンスフラグ４２の値に基づいて行われる。ステップｂ８では、表示領域２６にメニュー画面が表示され、ステップｂ９に移行する。
【００４２】
ステップｂ９において制御装置３１は、高周波接続装置３６を介してＩＣカード２２との通信を行い、ステップｂ１０に移行する。ステップｂ１０において制御装置３１は、ＩＣカード２２との通信によって受信した受信データに基づく処理を行う。たとえば制御装置３１は、ＩＣカード２２から送信された個人情報などを表示領域２６に表示させたりする。次にステップｂ１１に移行する。
【００４３】
ステップｂ１１において制御装置３１は、全ての処理が終了したか否かを判断する。全ての処理が終了しておらず、たとえばＩＣカード２２との通信をさらに行う必要があればステップｂ３に移行してＩＣカード２２との通信を行う処理を再び繰返す。全ての処理が終了したと制御装置３１が判断すると、ステップｂ１２に移行する。
【００４４】
ステップｂ１２において制御装置３１は、高周波接続装置３６を介した検出用信号の送信を終了して、ステップｂ１３に移行する。ステップｂ１３において制御装置３１は、レスポンスフラグ４２をリセットする。具体的にはレスポンスフラグ４２の数値を「０」に設定する。このように通信が終了するとレスポンスフラグ４２をリセットするので、レスポンスフラグ４２を基にして、通信不能な状態であるにもかかわらず通信可能であると誤判断し、通信可能であることを前提とした処理を行うことを防ぐことができる。レスポンスフラグ４２をリセットするとステップｂ１４に移行して通信処理を終了する。ステップｂ１４において通信処理を終了すると、制御装置３１は、通信処理後の処理として、表示領域２６への画像情報の表示を停止したり、メニュー画面を表示したり、電源を切ったりする。
【００４５】
図７は、図６に示すステップｂ６，ｂ８で行われる表示処理を表すフローチャートである。表示処理が開始するとステップｃ０からステップｃ１に移行する。
【００４６】
ステップｃ１において制御装置３１は、レスポンスフラグ４２がセットされているか否かを判断する。この判断は、レスポンスフラグ４２の値に基づいて行われる。レスポンスフラグ４２が数値「０」のときには、レスポンスフラグ４２がセットされていないと判断してステップｃ３に移行する。レスポンスフラグ４２の数値が「０」の場合には、ＩＣカード２２が通信可能な領域外に位置すると推定されるので、表示領域２６にメディアの種類に対応したガイドマーク２８を表示する。このガイドマーク２８は、図６のステップｂ２において読込んだガイドマーク２８である。このようにガイドマーク２８を表示することによって、利用者にＩＣカード２２を通信可能な領域に移動させるように誘導することができる。表示領域２６にガイドマーク２８を表示するとステップｃ４に移行して表示処理を終了する。
【００４７】
ステップｃ１においてレスポンスフラグ４２がセットされている、すなわちレスポンスフラグ４２の数値が「１」であると制御装置３１が判断すると、ステップｃ２に移行する。レスポンスフラグ４２がセットされていれば、ＩＣカード２２との通信が可能であるということを表す。ステップｃ２では、制御装置３１は、表示制御装置３３にメニュー画面を表す画像情報を与えて表示領域２６にメニュー画面を表示させる。このようにＩＣカード２２との通信が確立すると、ガイドマーク２８とは異なる画像情報が表示される。メニュー画面を表示領域２６に表示すると、ステップｃ４に移行して表示処理を終了する。
【００４８】
図８は、ＩＣカード２２との通信が可能な状態のハンディターミナル２１の正面図である。ＩＣカード２２が裏面部２７の通信可能な位置に配置され、レスポンスフラグ４２がセットされると、ステップｃ２の処理において表示画面にメニュー画面が表示される。図１に示すようにＩＣカード２２が通信不能な位置から、図８に示すようにＩＣカード２２が通信可能な位置に移動すると、表示領域２６の表示がガイドマーク２８からメニュー画面に遷移する。
【００４９】
以上説明した本実施の形態のハンディターミナル２１によれば、ＩＣカード２２とアンテナコイル４６を介した無線通信を行うときに、ＩＣカード２２を配置すべき位置を表す配置位置情報としてガイドマーク２８が表示領域２６に表示される。表面部２５にガイドマーク２８が表示されるので、利用者は、このガイドマーク２８を見ながらＩＣカード２２を通信可能な領域に移動させることができる。このようにガイドマーク２８を確認することによって、表面部２５を利用者の顔に向けた状態でも、容易にＩＣカード２２を通信可能な位置に移動させることができる。したがってＩＣカード２２との通信を実行する毎に裏面部２７を利用者の顔に向けるようにハンディターミナル２１を反転する必要がなくなり、利用者の利便性が向上する。
【００５０】
また従来の技術のように、ＩＣカード２２を通信可能な位置に誘導するための物理的なガイド機構を設けなくとも、利用者が容易にＩＣカード２２を通信可能な位置に移動させることができるので、従来の技術に比べて簡易な構成のハンディターミナル２１を実現することができる。
【００５１】
また本実施の形態のハンディターミナル２１によれば、表示装置３４によって複数のガイドマーク２８から１つのガイドマーク２８を選択することができる。利用者がタッチパネルとして機能する表示装置３４を押圧して操作することによって、ハンディターミナル２１との通信を実行しようとするＩＣカード２２に応じて、表示領域２６に表示させるガイドマーク２８を選択することができる。ガイドマーク２８を選択することによってＩＣカード２２の種類に対応するガイドマーク２８を表示領域２６に表示させることができるので、利用者は、このガイドマーク２８に基づいてＩＣカード２２を通信可能な位置に移動させることができる。このように表示領域２６に表示させるガイドマーク２８を選択することができるので、ＩＣカード２２の種類を変えたとしてもＩＣカード２２を通信可能な位置に容易に移動させることができ、利用者の利便性が向上する。
【００５２】
また本実施の形態のハンディターミナル２１によれば、ＩＣカード２２とハンディターミナル２１とが無線通信すると、ステップｃ２においてガイドマーク２８とは異なる情報が表示領域２６に表示される。ガイドマーク２８は、ＩＣカード２２を誘導するために表示される情報なので、ＩＣカード２２が通信可能な位置まで移動した後においてガイドマーク２８を表示領域２６に表示する必要がない。ＩＣカード２２が通信可能な位置まで移動した後に、ガイドマーク２８とは異なる画像情報としてたとえばメニュー画面を表示させるので、表示領域２６の有効利用を図ることができる。
【００５３】
本実施の形態においてＩＣカード２２は、薄板状の略四角柱形状を有するとしたけれども、どのような形状であってもよく、たとえば薄板状の三角柱、五角柱および六角柱などの多角柱形状であってもよく、また薄板状でなくてもよい。ＩＣカード２２がどのような形状であったとしても、ＩＣカード２２の種類に対応するガイドマーク２８が表示領域２６に表示されるので、利用者はこのガイドマーク２８を見ながら、表面部２５を顔に向けた状態で通信可能な領域にＩＣカード２２を容易に移動することができる。
【００５４】
また本実施の形態では情報記憶媒体として非接触型のＩＣカード２２について説明したが、情報記憶媒体としては、非接触型のＩＣカード２２に限られずに、ハンディターミナル２１と通信可能な情報記憶媒体であればどのようなものでもよい。
【００５５】
また本実施の形態のハンディターミナル２１では、ＩＣカード２２との通信を行うときにガイドマーク２８を表示するとしたけれども、ガイドマーク２８とは異なる画像にガイドマーク２８を重ねて表示するようにしてもよい。たとえばメニュー画面にガイドマーク２８を重ねて表示したとしても、このガイドマーク２８を見ながらＩＣカード２２を通信可能な領域に移動させることができる。ガイドマーク２８以外の情報も表示領域２６に表示することができるので、表示領域２６の有効利用を図ることができる。
【００５６】
また本実施の形態では、ハンディターミナル２１はＰＤＡとして機能するとしたけれども、ＰＤＡに限らずに表面部２５に表示領域２６を有していれば、どのような装置に用いられてもよい。たとえばハンディターミナル２１は、ＩＣカードリーダ／ライタ専用の装置として用いられてもよく、また電子辞書および携帯電話機として用いられてもよい。
【００５７】
また本実施の形態では、Ｎｏ記憶部４５に記憶された数値（ＮＯ．）は、利用者の操作に応じて変更可能としたけれども、予め定める数値に固定されていてもよい。たとえばＮｏ記憶部４５に記憶される数値（ＮＯ．）は、出荷時に設定されてもよく、また製造時において設定されてもよい。この場合、ハンディターミナル２１は、特定の種類のＩＣカード２２に対応する専用のＩＣカードリーダ／ライタとして機能する。このようにハンディターミナル２１のハード的な構成を変更することなく、Ｎｏ記憶部４５に記憶された数値（ＮＯ．）の設定を変えるだけで種々のＩＣカード２２の種類に対応するハンディターミナル２１を実現することができ、ハンディターミナル２１の汎用性が増す。
【図面の簡単な説明】
【００５８】
【図１】本発明の実施の一形態の通信装置として機能するハンディターミナル２１および情報記憶媒体として機能するＩＣカード２２を模式的に示す正面図である。
【図２】ハンディターミナル２１を模式的に示す背面図である。
【図３】ハンディターミナル２１およびＩＣカード２２の電気的構成を示すブロック図である。
【図４】ＩＣカード２２の種類に応じて表示領域２６に表示されるガイドマーク２８について説明するための図である。
【図５】ＩＣカード２２の種類を選択するメディア選択処理を表すフローチャートである。
【図６】ハンディターミナル２１とＩＣカード２２とが通信を行うときのハンディターミナル２１の処理を表すフローチャートである。
【図７】図６に示すステップｂ６，ｂ８で行われる表示処理を表すフローチャートである。
【図８】ＩＣカード２２との通信が可能な状態のハンディターミナル２１の正面図である。
【図９】ＩＣカードリーダ／ライタを示す斜視図である。
【符号の説明】
【００５９】
２１  ハンディターミナル
２２  ＩＣカード
２３  把持部
２４  操作部
２５  表面部
２６  表示領域
２７  裏面部
２８  ガイドマーク
３１  処理装置
３２  記憶装置
３３  表示制御装置
３４  表示装置
３５  入出力接続装置
３６  高周波接続装置
３７  バス
４１  プログラム記憶部
４２  レスポンスフラグ
４３  メディアガイド位置記憶部
４４  メニュー画面記憶部
４５  Ｎｏ記憶部
４６  アンテナコイル
４７  カード用アンテナコイル
４８  ＩＣチップ
【図１】
2008165650.tif 000003
【図２】
2008165650.tif 000004
【図３】
2008165650.tif 000005
【図４】
2008165650.tif 000006
【図５】
2008165650.tif 000007
【図６】
2008165650.tif 000008
【図７】
2008165650.tif 000009
【図８】
2008165650.tif 000010
【図９】
2008165650.tif 000011